(57)【要約】【課題】この発明は、肩掛けベルトをカバンの上面片端や取っ手部片端等を支点に他端方向に折り畳み、肩掛けベルトにスライド自在に装着した着脱自在の連結止め具と、他端方向の肩掛けベルトやカバンに装着した着脱自在の連結止め具を連結させ、更に、収納カバーによって、肩掛けベルトを収納することができるカバンである。【解決手段】取っ手部（２）と肩掛けベルト（１１）を一体化し、カバンの両端上部と取っ手部（２）の片端上部と肩掛けベルト（１１）に装着した着脱自在な連結止め具雄部雌部（４）（８）（１０）（１３）、並びに、マジックテープ（１４）を利用した肩当て兼収納カバーを使って、肩掛けベルト（１１）を取っ手部（２）に収納可能にするものである。【選択図】図３
2008206952.tif 000002
【特許請求の範囲】
【請求項１】
肩掛けベルトをカバンの上面片端や取っ手部片端等を支点に他端方向に折り畳み、肩掛けベルトにスライド自在に装着した着脱自在の連結止め具と、他端方向の肩掛けベルトやカバンに装着した着脱自在の連結止め具を連結させ、更に、収納カバーによって、肩掛けベルトを収納することができるカバン。
【発明の詳細な説明】
【技術分野】
【０００１】この発明は、不要なときに肩掛けベルトを折り畳んで収納可能にしたカバンである。
【背景技術】
【０００２】従来は、肩掛けベルトと取っ手部を別々に装着しないといけなく、肩掛けベルトを使用しない時ははずさないといけなかった。
【発明が解決しようとする課題】
【０００３】肩掛けベルトを装着したまま折り畳んで収納可能にするものである。
【課題を解決するための手段】
【０００４】Ａ．方法１
（イ）カバン（１）の上面の片端には、取っ手部（２）の片端を軸（３）に回動自在に装着する。
（ロ）カバン（１）の上面の他端には、着脱自在な連結止め具雌部（４）を軸（５）に回動自在に装着する。
（ハ）取っ手部（２）は適度な強度を持った材質とし、取っ手部（２）の軸（５）側の片端には着脱自在な連結止め具雄部（６）を設け、その下面には、肩掛けベルト（７）を挿通可能な挿通口（８）を設ける。
（ニ）取っ手部（２）の軸（３）側の端の下面には肩掛けベルトが挿通可能な挿通口（９）を設け、その下面には着脱自在な連結止め具雌部（１０）を設ける。
（ホ）取っ手部（２）は、軸（３）を支点に軸（５）側に向けて取っ手部（２）を回動させて、連結止め具雌部（４）と連結止め具雄部（６）がちょうど連結できる長さにする。
（ヘ）肩掛けベルト（７）は、取っ手部（２）の約３倍で、かつ、カバンを肩に掛けた時に適宜長さとし、その片端は挿通口（９）を通して軸（３）に回動自在に装着し、他端を挿通口（８）に通して連結止め具雌部（４）の下方で軸（５）に回動自在に装着する。
（ト）肩掛けベルト（７）には、適宜長さでマジックテープ等を利用した肩当て兼収納カバー（１１）を肩掛けベルト（７）に沿ってスライド自在に装着、更に、肩当て兼収納カバー（１１）より軸（５）側に、連結止め具雌部（１０）に相対する連結止め具雄部（１２）を内側に向けて肩掛けベルト（７）に沿ってスライド自在に装着する。
（チ）肩掛けベルト（７）収納時は、連結止め具雄部（１２）を軸（３）方向に折り畳みながら引き、連結止め具雌部（１０）に連結させる。
（リ）更に、上記（チ）の動作により軸（３）を支点に軸（５）側に回動してきた連結止め具雄部（６）を連結止め具雌部（４）に連結する。
（ヌ）肩当て兼収納カバー（１１）のマジックテープ（１３）を剥がして広げ、折り畳んだ肩掛けベルトを収納する。
（ル）肩掛けベルト（７）を使用する時は、マジックテープ（１３）を剥がし、連結止め具雄部（６）の解除ボタン（１４）、及び、連結止め具雄部（１２）の解除ボタン（１５）を押して連結を解除して伸ばして使用する。
Ｂ．方法２
（イ）取っ手部（１６）は、適度な強度を持った材質とし、中空で、カバンの上面の両端部を結ぶ略アーチ状で、カバンの上面両端の軸（１７）（１８）でそれぞれ固着、又は、上面の両端で上面の長辺と垂直方向に回動自在に装着する。
（ロ）取っ手部（１６）の上面の両端には、それぞれ上下方向に開口部（２０）（２１）を設ける。
（ハ）取っ手部（１６）の横側面には、長辺方向に平行に細長い開口部（２２）を設ける。
（ニ）開口部（２２）の片方の内側側面には開口部（２０）に直結する開口部（２３）を設け、他方の内側側面には着脱自在な連結止め具雌部（２４）を設ける。
（ホ）開口部（２２）の上側側面中央には、長辺に平行して細長いスライド用開口部（２５）を設ける。
（ヘ）上面にＴ字型フック（２６）を固着させ、止め具部と反対側に肩掛けベルト（１９）を挿通可能な挿通口（２７）を有し、開口部（２２）内をスライド可能な薄さで、かつ、開口部（２３）から肩掛けベルト（１９）が抜けないよう、開口部（２３）より広い幅の着脱自在な連結止め具雄部（２８）を開口部（２２）内に、止め具部分を連結止め具雌部（２４）方向に向けて、Ｔ字型フック（２６）のフック部がスライド可能、かつ、脱落しないようにスライド用開口部（２５）に通して装着させる。
（ト）肩掛けベルト（１９）は、片端を開口部（２０）を通し、開口部（２３）で一旦出して連結止め具雄部（２８）の挿通口（２７）に挿通させ、再度開口部（２３）から下方に差込み、軸（１７）で回動自在に装着し、更に、肩当て兼収納カーバー（２９）をスライド自在に装着する。
（チ）肩掛けベルト（１９）の他端は、開口部（２１）を通し、軸（１８）で回動自在に装着する。
（リ）肩掛けベルト（１９）を使用しない時は、連結止め具雄部（２８）を連結止め具雌部（２４）方向に引き、肩掛けベルト（１９）を引き込みながら、連結止め具雄部（２８）と連結止め具雌部（２４）を連結させることによって、肩掛けベルト（１９）を折り畳んだ形にして収納し、更に、肩当て兼収納カバー（２９）のマジックテープ（３０）を剥がし、密着した肩掛けベルト（１９）と取っ手部（１６）を包むようにして再度マジックテープを貼り付け固定する。
（ヌ）尚、肩掛けベルト（１９）の長さは、上記（リ）の動作により収納された時に、取っ手部（１６）の上面に密着する程度の長さとする。
（ル）肩掛けベルト（１９）を使用する時は、肩当て兼収納カバーのマジックテープ（３０）を剥がし、連結止め具雄部（２８）と連結止め具雌部（２４）の連結を解除し伸ばして使用する。
Ｃ．方法３
（イ）カバン（３１）の上面から見た時の短辺側の側面上端（３２）（３３）に、それぞれ肩掛けベルト（３４）の片端（３５）（３６）を装着する。
（ロ）肩掛けベルト（３４）の片端（３５）の内側端部にマジックテープ雌部（３７）を固着させ、片端（３６）の外側端部にマジックテープ雌部（３８）を固着させる。
（ハ）肩掛けベルト（３４）の片端（３６）側に肩掛けベルト（３４）に沿ってスライド自在にリング状の連結止め具（３９）（４０）を装着する。
（ニ）連結止め具（３９）の内側にマジックテープ雄部（４１）を固着させ、連結止め具（４０）の外側にマジックテープ雄部（４２）を固着させる。
（ホ）肩掛けベルト（３４）の中央部には、肩掛けベルト（３４）に沿ってスライド自在で、かつ、マジックテープ（４３）で着脱自在な肩当て兼収納カバー（４４）を装着する。
（ヘ）カバン（３１）の上面中央に保持具（４５）を固着させる。
（ト）連結止め具（３９）を肩掛けベルト（３４）に沿って上に上げながら、片端（３５）方向に伸ばし、マジックテープ雌部（３７）とマジックテープ雄部（４１）を結合させ、更に、連結止め具（３９）を支点に反対方向に肩掛けベルト（３４）を折り返し、マジックテープ雌部（３８）とマジックテープ雄部（４０）を結合させる。
（チ）肩当て兼収納カバー（４４）のマジックテープ（４３）を剥がして広げ、折り畳んだ肩掛けベルト（３４）と保持具（４５）を包み込むようにして、再びマジックテープ（４３）を貼り付け結束させて収納する。
Ｄ．方法４
（イ）カバン（４６）の上面から見た時の短辺側の側面上端（４７）（４８）に、それぞれ肩掛けベルト（４９）の片端（５０）（５１）を装着する。
（ロ）肩掛けベルト（４６）の片端（５１）の外側端部にマジックテープ雌部（５２）を固着させる。
（ハ）肩掛けベルト（４９）の片端（５１）側に肩掛けベルト（４９）に沿ってスライド自在にリング状の連結止め具（５３）（５４）を装着する。
（ニ）連結止め具（５３）の内側にマジックテープ雄部（５５）を固着させ、連結止め具（５４）の外側にマジックテープ雄部（５６）を固着させる。
（ホ）肩掛けベルト（４９）の中央部には、肩掛けベルト（４９）に沿ってスライド自在で、かつ、マジックテープ（５７）で着脱自在な肩当て兼収納カバー（５８）を装着する。
（ヘ）カバン（４６）の上面中央に取っ手（５９）を固着させる。
（ト）カバン（４６）の背面には、上部に肩掛けベルト（４９）を収納可能なスペースを確保した適宜高さより下位にサイドポケット（６０）を設け、その上部の片端（５０）側にマジックテープ雌部（６１）を固着させる。
（チ）カバン（４６）の背面上縁部に、サイドポケット（６０）の蓋兼収納カバー（６２）を固着させる。
（リ）サイドポケット（６０）の外側上位に、肩掛けベルト（４９）を収納・未収納どちらの場合にも、蓋兼収納カバー（６２）の裏側に固着させたマジックテープ雄部（６３）と結合できるよう、幅広なマジックテープ雌部（６４）を固着させる。
（ヌ）肩掛けベルト（４９）をカバン（４６）の背面側に寝かせながら、連結止め具（５３）を肩掛けベルト（４９）に沿って片端（４７）方向に伸ばし、マジックテープ雄部（５５）とマジックテープ雌部（６１）を結合させ、更に、連結止め具（５３）を支点に反対方向に肩掛けベルト（４９）を折り返し、マジックテープ雌部（５２）とマジックテープ雄部（５６）を結合させる。
（ル）肩当て兼収納カバー（５８）のマジックテープ（５７）を剥がして広げ、折り畳んだ肩掛けベルト（４９）を包み包み込むようにして、再びマジックテープ（５７）を貼り付け結束させる。
（ヲ）更に、蓋兼収納カバー（６２）を閉めながらマジックテープ雄部（６３）をマジックテープ雌部（６４）に貼り付け収納する。
Ｅ．方法５
（イ）カバン（６５）の上面から見た時の短辺側の側面上端（６６）（６７）に、それぞれ肩掛けベルト（６８）の片端（６９）（７０）を装着する。
（ロ）肩掛けベルト（６８）の片端（６９）の外側端部にマジックテープ雌部（７１）を固着させる。
（ハ）肩掛けベルト（６８）の片端（６９）側に肩掛けベルト（６８）に沿ってスライド自在にリング状の連結止め具（７２）（７３）を装着する。
（ニ）連結止め具（７２）の内側にマジックテープ雄部（７４）を固着させ、連結止め具（７３）の外側にマジックテープ雄部（７５）を固着させる。
（ホ）肩掛けベルト（６８）の中央部には、肩掛けベルト（６８）に沿ってスライド自在で、かつ、マジックテープ（７６）で着脱自在な肩当て兼収納カバー（７７）を装着する。
（ヘ）カバン（６５）の背面には、背面上部に肩掛けベルト（６８）を収納可能なスペースを確保した適宜高さから、カバン（６５）の前面適宜高さまでを覆うことができるシート状蓋兼収納カバー（７８）をその片端（７９）の縁部のみを固着させる。
（ト）シート状蓋兼収納カバー（７８）をカバン（６５）の前面で閉じた際の上面中央に取っ手（８０）を固着させる。
（チ）カバン（６５）の背面の上部の片端（６７）側にマジックテープ雌部（８１）を固着させる。
（リ）肩掛けベルト（６８）をカバン（６５）の背面側に寝かせながら、連結止め具（７２）を肩掛けベルト（６８）に沿って片端（６７）方向に伸ばし、マジックテープ雄部（７４）とマジックテープ雌部（８１）を結合させ、更に、連結止め具（７２）を支点に反対方向に肩掛けベルト（６８）を折り返し、マジックテープ雌部（７１）とマジックテープ雄部（７４）を結合させる。
（ヌ）肩当て兼収納カバー（７７）のマジックテープ（７６）を剥がして広げ、折り畳んだ肩掛けベルト（６８）を包み包み込むようにして、再びマジックテープ（７６）を貼り付け結束させる。
（ル）更に、シート状蓋兼収納カバー（７８）を閉めて収納する。
（ヲ）尚、方法１から方法５については、着脱自在な連結止め具としてマジックテープでなくても、ボタンや磁石等でも可とし、又、その結束力次第では連結止め具の数を増やしても減らしてもよく、更には、連結止め具だけで収納カバーをなくしても、逆に収納カバーだけで連結止め具をなくしてもよい。
【発明を実施するための最良の形態】
【０００５】以下、本発明の実施の形態について説明する。
Ａ．方法１
（イ）カバン（１）の上面の片端には、取っ手部（２）の片端を軸（３）に回動自在に装着する。
（ロ）カバン（１）の上面の他端には、着脱自在な連結止め具雌部（４）を軸（５）に回動自在に装着する。
（ハ）取っ手部（２）は適度な強度を持った材質とし、取っ手部（２）の軸（５）側の片端には着脱自在な連結止め具雄部（６）を設け、その下面には、肩掛けベルト（７）を挿通可能な挿通口（８）を設ける。
（ニ）取っ手部（２）の軸（３）側の端の下面には肩掛けベルトが挿通可能な挿通口（９）を設け、その下面には着脱自在な連結止め具雌部（１０）を設ける。
（ホ）取っ手部（２）は、軸（３）を支点に軸（５）側に向けて取っ手部（２）を回動させて、連結止め具雌部（４）と連結止め具雄部（６）がちょうど連結できる長さにする。
（ヘ）肩掛けベルト（７）は、取っ手部（２）の約３倍で、かつ、カバンを肩に掛けた時に適宜長さとし、その片端は挿通口（９）を通して軸（３）に回動自在に装着し、他端を挿通口（８）に通して連結止め具雌部（４）の下方で軸（５）に回動自在に装着する。
（ト）肩掛けベルト（７）には、適宜長さでマジックテープ等を利用した肩当て兼収納カバー（１１）を肩掛けベルト（７）に沿ってスライド自在に装着、更に、肩当て兼収納カバー（１１）より軸（５）側に、連結止め具雌部（１０）に相対する連結止め具雄部（１２）を内側に向けて肩掛けベルト（７）に沿ってスライド自在に装着する。
（チ）肩掛けベルト（７）収納時は、連結止め具雄部（１２）を軸（３）方向に折り畳みながら引き、連結止め具雌部（１０）に連結させる。
（リ）更に、上記（チ）の動作により軸（３）を支点に軸（５）側に回動してきた連結止め具雄部（６）を連結止め具雌部（４）に連結する。
（ヌ）肩当て兼収納カバー（１１）のマジックテープ（１３）を剥がして広げ、折り畳んだ肩掛けベルトを収納する。
（ル）肩掛けベルト（７）を使用する時は、マジックテープ（１３）を剥がし、連結止め具雄部（６）の解除ボタン（１４）、及び、連結止め具雄部（１２）の解除ボタン（１５）を押して連結を解除して伸ばして使用する。
Ｂ．方法２
（イ）取っ手部（１６）は、適度な強度を持った材質とし、中空で、カバンの上面の両端部を結ぶ略アーチ状で、カバンの上面両端の軸（１７）（１８）でそれぞれ固着、又は、上面の両端で上面の長辺と垂直方向に回動自在に装着する。
（ロ）取っ手部（１６）の上面の両端には、それぞれ上下方向に開口部（２０）（２１）を設ける。
（ハ）取っ手部（１６）の横側面には、長辺方向に平行に細長い開口部（２２）を設ける。
（ニ）開口部（２２）の片方の内側側面には開口部（２０）に直結する開口部（２３）を設け、他方の内側側面には着脱自在な連結止め具雌部（２４）を設ける。
（ホ）開口部（２２）の上側側面中央には、長辺に平行して細長いスライド用開口部（２５）を設ける。
（ヘ）上面にＴ字型フック（２６）を固着させ、止め具部と反対側に肩掛けベルト（１９）を挿通可能な挿通口（２７）を有し、開口部（２２）内をスライド可能な薄さで、かつ、開口部（２３）から肩掛けベルト（１９）が抜けないよう、開口部（２３）より広い幅の着脱自在な連結止め具雄部（２８）を開口部（２２）内に、止め具部分を連結止め具雌部（２４）方向に向けて、Ｔ字型フック（２６）のフック部がスライド可能、かつ、脱落しないようにスライド用開口部（２５）に通して装着させる。
（ト）肩掛けベルト（１９）は、片端を開口部（２０）を通し、開口部（２３）で一旦出して連結止め具雄部（２８）の挿通口（２７）に挿通させ、再度開口部（２３）から下方に差込み、軸（１７）で回動自在に装着し、更に、肩当て兼収納カーバー（２９）をスライド自在に装着する。
（チ）肩掛けベルト（１９）の他端は、開口部（２１）を通し、軸（１８）で回動自在に装着する。
（リ）肩掛けベルト（１９）を使用しない時は、連結止め具雄部（２８）を連結止め具雌部（２４）方向に引き、肩掛けベルト（１９）を引き込みながら、連結止め具雄部（２８）と連結止め具雌部（２４）を連結させることによって、肩掛けベルト（１９）を折り畳んだ形にして収納し、更に、肩当て兼収納カバー（２９）のマジックテープ（３０）を剥がし、密着した肩掛けベルト（１９）と取っ手部（１６）を包むようにして再度マジックテープを貼り付け固定する。
（ヌ）尚、肩掛けベルト（１９）の長さは、上記（リ）の動作により収納された時に、取っ手部（１６）の上面に密着する程度の長さとする。
（ル）肩掛けベルト（１９）を使用する時は、肩当て兼収納カバーのマジックテープ（３０）を剥がし、連結止め具雄部（２８）と連結止め具雌部（２４）の連結を解除し伸ばして使用する。
Ｃ．方法３
（イ）カバン（３１）の上面から見た時の短辺側の側面上端（３２）（３３）に、それぞれ肩掛けベルト（３４）の片端（３５）（３６）を装着する。
（ロ）肩掛けベルト（３４）の片端（３５）の内側端部にマジックテープ雌部（３７）を固着させ、片端（３６）の外側端部にマジックテープ雌部（３８）を固着させる。
（ハ）肩掛けベルト（３４）の片端（３６）側に肩掛けベルト（３４）に沿ってスライド自在にリング状の連結止め具（３９）（４０）を装着する。
（ニ）連結止め具（３９）の内側にマジックテープ雄部（４１）を固着させ、連結止め具（４０）の外側にマジックテープ雄部（４２）を固着させる。
（ホ）肩掛けベルト（３４）の中央部には、肩掛けベルト（３４）に沿ってスライド自在で、かつ、マジックテープ（４３）で着脱自在な肩当て兼収納カバー（４４）を装着する。
（ヘ）カバン（３１）の上面中央に保持具（４５）を固着させる。
（ト）連結止め具（３９）を肩掛けベルト（３４）に沿って上に上げながら、片端（３５）方向に伸ばし、マジックテープ雌部（３７）とマジックテープ雄部（４１）を結合させ、更に、連結止め具（３９）を支点に反対方向に肩掛けベルト（３４）を折り返し、マジックテープ雌部（３８）とマジックテープ雄部（４０）を結合させる。
（チ）肩当て兼収納カバー（４４）のマジックテープ（４３）を剥がして広げ、折り畳んだ肩掛けベルト（３４）と保持具（４５）を包み込むようにして、再びマジックテープ（４３）を貼り付け結束させて収納する。
Ｄ．方法４
（イ）カバン（４６）の上面から見た時の短辺側の側面上端（４７）（４８）に、それぞれ肩掛けベルト（４９）の片端（５０）（５１）を装着する。
（ロ）肩掛けベルト（４６）の片端（５１）の外側端部にマジックテープ雌部（５２）を固着させる。
（ハ）肩掛けベルト（４９）の片端（５１）側に肩掛けベルト（４９）に沿ってスライド自在にリング状の連結止め具（５３）（５４）を装着する。
（ニ）連結止め具（５３）の内側にマジックテープ雄部（５５）を固着させ、連結止め具（５４）の外側にマジックテープ雄部（５６）を固着させる。
（ホ）肩掛けベルト（４９）の中央部には、肩掛けベルト（４９）に沿ってスライド自在で、かつ、マジックテープ（５７）で着脱自在な肩当て兼収納カバー（５８）を装着する。
（ヘ）カバン（４６）の上面中央に取っ手（５９）を固着させる。
（ト）カバン（４６）の背面には、上部に肩掛けベルト（４９）を収納可能なスペースを確保した適宜高さより下位にサイドポケット（６０）を設け、その上部の片端（５０）側にマジックテープ雌部（６１）を固着させる。
（チ）カバン（４６）の背面上縁部に、サイドポケット（６０）の蓋兼収納カバー（６２）を固着させる。
（リ）サイドポケット（６０）の外側上位に、肩掛けベルト（４９）を収納・未収納どちらの場合にも、蓋兼収納カバー（６２）の裏側に固着させたマジックテープ雄部（６３）と結合できるよう、幅広なマジックテープ雌部（６４）を固着させる。
（ヌ）肩掛けベルト（４９）をカバン（４６）の背面側に寝かせながら、連結止め具（５３）を肩掛けベルト（４９）に沿って片端（４７）方向に伸ばし、マジックテープ雄部（５５）とマジックテープ雌部（６１）を結合させ、更に、連結止め具（５３）を支点に反対方向に肩掛けベルト（４９）を折り返し、マジックテープ雌部（５２）とマジックテープ雄部（５６）を結合させる。
（ル）肩当て兼収納カバー（５８）のマジックテープ（５７）を剥がして広げ、折り畳んだ肩掛けベルト（４９）を包み包み込むようにして、再びマジックテープ（５７）を貼り付け結束させる。
（ヲ）更に、蓋兼収納カバー（６２）を閉めながらマジックテープ雄部（６３）をマジックテープ雌部（６４）に貼り付け収納する。
Ｅ．方法５
（イ）カバン（６５）の上面から見た時の短辺側の側面上端（６６）（６７）に、それぞれ肩掛けベルト（６８）の片端（６９）（７０）を装着する。
（ロ）肩掛けベルト（６８）の片端（６９）の外側端部にマジックテープ雌部（７１）を固着させる。
（ハ）肩掛けベルト（６８）の片端（６９）側に肩掛けベルト（６８）に沿ってスライド自在にリング状の連結止め具（７２）（７３）を装着する。
（ニ）連結止め具（７２）の内側にマジックテープ雄部（７４）を固着させ、連結止め具（７３）の外側にマジックテープ雄部（７５）を固着させる。
（ホ）肩掛けベルト（６８）の中央部には、肩掛けベルト（６８）に沿ってスライド自在で、かつ、マジックテープ（７６）で着脱自在な肩当て兼収納カバー（７７）を装着する。
（ヘ）カバン（６５）の背面には、背面上部に肩掛けベルト（６８）を収納可能なスペースを確保した適宜高さから、カバン（６５）の前面適宜高さまでを覆うことができるシート状蓋兼収納カバー（７８）をその片端（７９）の縁部のみを固着させる。
（ト）シート状蓋兼収納カバー（７８）をカバン（６５）の前面で閉じた際の上面中央に取っ手（８０）を固着させる。
（チ）カバン（６５）の背面の上部の片端（６７）側にマジックテープ雌部（８１）を固着させる。
（リ）肩掛けベルト（６８）をカバン（６５）の背面側に寝かせながら、連結止め具（７２）を肩掛けベルト（６８）に沿って片端（６７）方向に伸ばし、マジックテープ雄部（７４）とマジックテープ雌部（８１）を結合させ、更に、連結止め具（７２）を支点に反対方向に肩掛けベルト（６８）を折り返し、マジックテープ雌部（７１）とマジックテープ雄部（７４）を結合させる。
（ヌ）肩当て兼収納カバー（７７）のマジックテープ（７６）を剥がして広げ、折り畳んだ肩掛けベルト（６８）を包み包み込むようにして、再びマジックテープ（７６）を貼り付け結束させる。
（ル）更に、シート状蓋兼収納カバー（７８）を閉めて収納する。
（ヲ）尚、方法１から方法５については、着脱自在な連結止め具としてマジックテープでなくても、ボタンや磁石等でも可とし、又、その結束力次第では連結止め具の数を増やしても減らしてもよく、更には、連結止め具だけで収納カバーをなくしても、逆に収納カバーだけで連結止め具をなくしてもよい。
【発明の効果】
【０００６】肩掛けベルトが不要な時は容易に収納でき、又、必要な時は、容易に引き出すことができる。
【図面の簡単な説明】
【図１】方法１による請求項１を満たすカバンの斜視図である。
【図２】方法１による請求項１を満たすカバンの肩掛けベルトを収納していない時の側面図である。
【図３】方法１による請求項１を満たすカバンの肩掛けベルトを収納しようとしている時の側面図である。
【図４】方法１による請求項１を満たすカバンの肩掛けベルトを収納した時の側面図である。
【図５】方法２による請求項１を満たすカバンの斜視図である。
【図６】方法２による請求項１を満たすカバンの肩掛けベルトを収納していない時の側面透視図である。
【図７】方法２による請求項１を満たすカバンの肩掛けベルトを収納した時の側面図である。
【図８】方法２による請求項１を満たす連結止め具雄部の斜視図である。
【図９】方法２による請求項１を満たすカバンの取っ手部の側面透視図である。
【図１０】方法３による請求項１を満たすカバンの斜視図である。
【図１１】方法３による請求項１を満たすカバンの肩掛けベルトを収納しようとしている時の側面図である。
【図１２】方法３による請求項１を満たすカバンの肩掛けベルトを収納した時の側面図である。
【図１３】方法４による請求項１を満たすカバンの斜視図である。
【図１４】方法４による請求項１を満たすカバンの肩掛けベルトを収納しようとしている時の上面図である。
【図１５】方法４による請求項１を満たすカバンの肩掛けベルトを収納した時の側面図である。
【図１６】方法５による請求項１を満たすカバンの斜視図である。
【図１７】方法５による請求項１を満たすカバンの肩掛けベルトを収納しようとしている時の上面図である。
【図１８】方法５による請求項１を満たすカバンの肩掛けベルトを収納した時の側面図である。
【符号の説明】
１  カバン
２  取っ手部
３  軸
４  連結止め具雌部
５  軸
６  連結止め具雄部
７  肩掛けベルト
８  挿通口
９  挿通口
１０  連結止め具雌部
１１  肩当て兼収納カバー
１２  連結止め具雄部
１３  マジックテープ
１４  解除ボタン
１５  解除ボタン
１６  取っ手部
１７  軸
１８  軸
１９  肩掛けベルト
２０  開口部
２１  開口部
２２  開口部
２３  開口部
２４  連結止め具雌部
２５  スライド用開口部
２６  Ｔ字型フック
２７  挿通口
２８  連結止め具雄部
２９  肩当て兼収納カバー
３０  マジックテープ
３１  カバン
３２  側面上端
３３  側面上端
３４  肩掛けベルト
３５  片端
３６  片端
３７  マジックテープ雌部
３８  マジックテープ雌部
３９  連結止め具
４０  連結止め具
４１  マジックテープ雄部
４２  マジックテープ雄部
４３  マジックテープ
４４  肩当て兼収納カバー
４５  保持具
４６  カバン
４７  側面上端
４８  側面上端
４９  肩掛けベルト
５０  片端
５１  片端
５２  マジックテープ雌部
５３  連結止め具
５４  連結止め具
５５  マジックテープ雄部
５６  マジックテープ雄部
５７  マジックテープ
５８  肩当て兼収納カバー
５９  取っ手
６０  サイドポケット
６１  マジックテープ雌部
６２  蓋兼収納カバー
６３  マジックテープ雄部
６４  マジックテープ雄部
６５  カバン
６６  側面上端
６７  側面上端
６８  肩掛けベルト
６９  片端
７０  片端
７１  マジックテープ雌部
７２  連結止め具
７３  連結止め具
７４  マジックテープ雄部
７５  マジックテープ雄部
７６  マジックテープ
７７  肩当て兼収納カバー
７８  シート状蓋兼収納カバー
７９  片端
８０  取っ手
８１  マジックテープ雌部
【図１】
2008206952.tif 000003
【図２】
2008206952.tif 000004
【図３】
2008206952.tif 000005
【図４】
2008206952.tif 000006
【図５】
2008206952.tif 000007
【図６】
2008206952.tif 000008
【図７】
2008206952.tif 000009
【図８】
2008206952.tif 000010
【図９】
2008206952.tif 000011
【図１０】
2008206952.tif 000012
【図１１】
2008206952.tif 000013
【図１２】
2008206952.tif 000014
【図１３】
2008206952.tif 000015
【図１４】
2008206952.tif 000016
【図１５】
2008206952.tif 000017
【図１６】
2008206952.tif 000018
【図１７】
2008206952.tif 000019
【図１８】
2008206952.tif 000020